(57)【要約】【課題】本発明は、温度上昇によるプリント基板の反り等の変形を防止するとともに、ＣＣＤの位置ずれ、及び焦点ずれの発生を抑えることができる画像読取装置を提供することを目的とする。【解決手段】ＣＣＤ１２の端部には、プリント基板１３と接続される複数のリード１５が設けられている。プリント基板１３より突出したリード１５の端部１６を半田付けすることにより、ＣＣＤ１２はプリント基板１３上に半田付けされ、固定されている。ＣＣＤ１２とプリント基板１３との間には、ＣＣＤ１２とプリント基板１３との間に隙間が生じない様にスペーサ１４が設けられている。このスペーサ１４は、プリント基板１３を固定保持するためのもので、プリント基板１３側に接着固定されている。【選択図】    図２
2004153490.tif 000002
【特許請求の範囲】
【請求項１】
光源により照射され、原稿により反射された照射光を、ミラーにより更に反射させるとともに、プリント基板上に半田付けされたＣＣＤに対面して設けられた結像レンズを介して前記ＣＣＤに入射させ、前記ＣＣＤ上に結像させる画像読取装置において、前記ＣＣＤと前記プリント基板との間に前記プリント基板を固定保持するためのスペーサを設けたことを特徴とする画像読取装置。
【請求項２】
前記スペーサは、前記プリント基板側に接着固定されていることを特徴とする請求項１に記載の画像読取装置。
【請求項３】
前記スペーサは、耐熱性樹脂により形成されていることを特徴とする請求項１に記載の画像読取装置。
【請求項４】
前記耐熱性樹脂は、ポリカーボネート樹脂であることを特徴とする請求項３に記載の画像読取装置。
【請求項５】
前記スペーサの外形は、前記ＣＣＤの外形よりも小さいことを特徴とする請求項１に記載の画像読取装置。
【発明の詳細な説明】
【０００１】
【発明の属する技術分野】
本発明は、読取素子にＣＣＤ（電荷結合素子）を用いたデジタル複写機、イメージスキャナ、ファクシミリ等の画像読取装置に関する。
【０００２】
【従来の技術】
従来、デジタル複写機、イメージスキャナ、ファクシミリ装置等においては、読取センサにより原稿の画像を読取るデジタル読取装置を使用している。このデジタル読取装置においては、読取センサとして、ＣＣＤ（電荷結合素子）を使用し、原稿画像の濃淡を電気信号レベルの高低に変換している。又、近年、デジタル技術の発展に伴い、デジタル複写機、イメージスキャナ、ファクシミリ装置等においても高速化や高精度化が実現されており、それに伴って、画像読取装置における画像読取部の読取速度も高速化されている。
【０００３】
又、光源を一定の走査速度で原稿面に平行に移動させて走査し、原稿面からの反射光を結像レンズによりＣＣＤユニット上に結像させる読取り光学系としては、コンタクトガラス上に載置された原稿を光源によりスリット照射し、その反射光を第１ミラーにより原稿面に平行に反射させ、互いに直交する第２、第３ミラーを経て逆方向に反射させ、結像レンズによりＣＣＤ上に結像させるように構成したものが一般に採用されている。
【０００４】
又、従来の画像読取装置におけるＣＣＤユニットは、ＣＣＤと当該ＣＣＤを駆動させるプリント基板により構成されており、当該ＣＣＤは、プリント基板上に半田付けされ、固定されている。又、ＣＣＤが半田付けされたプリント基板は、ＣＣＤユニット固定用基板に取り付けられている（例えば、特許文献１参照）。
【０００５】
【特許文献１】
特開平４−２５２６５６号公報（第３頁、第４図）
【０００６】
【発明が解決しようとする課題】
しかし、上述の画像読取装置における画像読取部の読取速度の高速化に伴い、当該画像読取装置に用いられるＣＣＤにおける発熱量も増大する傾向にあり、このＣＣＤの発熱量の増大に伴い、ＣＣＤが半田付けされたプリント基板の温度も上昇することになる。又、上記従来の画像読取装置におけるＣＣＤユニットにおいては、ＣＣＤをプリント基板に半田付けする際に、ＣＣＤとプリント基板間に隙間が生じるため、上記ＣＣＤの発熱量の増大に伴うプリント基板の温度上昇により、当該プリント基板に反り等の変形が生じやすくなってしまう。その結果、ＣＣＤの位置ずれ、及び焦点ずれが生じるという不都合が生じていた。また、半田付けする際に、ＣＣＤとプリント基板間に隙間が生じると、ＣＣＤ面とプリント基板面の平行度が悪くなるため、作業効率が低下するという不都合が生じていた。
【０００７】
本発明は、上記問題点を解決し、温度上昇によるプリント基板の反り等の変形を防止するとともに、ＣＣＤの位置ずれ、及び焦点ずれの発生を抑えることができる画像読取装置を提供することを目的とする。
【０００８】
【課題を解決するための手段】
上記目的を達成するために、本発明は、光源により照射され、原稿により反射された照射光を、ミラーにより更に反射させるとともに、プリント基板上に半田付けされたＣＣＤに対面して設けられた結像レンズを介してＣＣＤに入射させ、ＣＣＤ上に結像させる画像読取装置において、ＣＣＤとプリント基板との間にプリント基板を固定保持するためのスペーサを設けたことを特徴とする。
【０００９】
この構成によると、ＣＣＤとプリント基板との間にプリント基板を固定保持するためのスペーサが設けられているため、プリント基板の温度が上昇した場合であっても、当該プリント基板の変形を未然に防止することができ、その結果、ＣＣＤの位置ずれ、及び焦点ずれを回避することができる。また、スペーサを設けることにより、ＣＣＤとプリント基板との間に隙間が生じない構成となっているため、半田付けを行う際にＣＣＤ面とプリント基板面の平行度がとり易くなり、作業効率を向上させることができる。
【００１０】
又、本発明においては、スペーサは、プリント基板上に接着固定されていることを特徴とする。この構成によると、スペーサーとプリント基板が一体化するため、温度上昇に伴うプリント基板の変形を更に防止することができる。
【００１１】
又、本発明においては、スペーサは耐熱性樹脂により形成されていることを特徴とする。この構成によると、温度上昇に対する耐熱性が優れているスペーサを使用しているため、温度上昇に伴うプリント基板の変形を更に防止することができる。尚、耐熱性樹脂として、ポリカーボネート樹脂を使用した構成とすることもできる。
【００１２】
又、本発明においては、スペーサの外形は、ＣＣＤの外形よりも小さいことを特徴とする。この構成によると、ＣＣＤとプリント基板との間にスペーサを挿入した場合であっても、ＣＣＤに設けられたリードの抜けや接触不良等の不都合を起こすことなくＣＣＤをプリント基板上に半田付けし、固定することができる。
【００１３】
【発明の実施の形態】
以下、図面を参照して、本発明の実施形態を詳細に説明する。図１は、本発明の実施形態に係る画像読取装置の全体構成を示す概略図である。光学系をもつ画像読取装置において、画像読取装置本体１の上面には原稿台ガラス２が設けられており、画像読取装置本体１の内部には、原稿台ガラス２上に置かれた原稿３に光を照射して原稿を照明する光源４と、原稿３により反射された照射光を９０度方向に反射する第１ミラー５とから構成される第１光学系ユニット６と、第１ミラー５による反射光を９０度方向に反射する第２ミラー７と、第２ミラー７による反射光を更に９０度方向に反射する第３ミラー８とから構成される第２光学系ユニット９が設けられている。
【００１４】
又、画像読取装置本体１の内部には、結像レンズ１０と、ＣＣＤ１２が搭載されたＣＣＤユニット１１が設けられており、第３ミラー８により反射された原稿からの反射光は、ＣＣＤ１２に対面して設けられた結像レンズ１０により収束され、当該結像レンズ１０を介してＣＣＤ１２に入射し、当該ＣＣＤ１２上に結像される。
【００１５】
ここで、上記構成においては、結像レンズ１０、及びＣＣＤ１２は画像読取装置本体１に固定されているが、光源４が移動しても原稿側光路長が変化しないようにするために、光源４と第１ミラー５とから構成される第１光学ユニット６と、第２ミラー７と第３ミラー８とから構成される第２光学ユニット９は、各々、一定速度で移動可能となるように設けられている。
【００１６】
次に、図面を参照して、本発明の実施形態に係る画像読取装置のＣＣＤユニットについて説明する。図２は、本発明の実施形態に係る画像読取装置のＣＣＤユニットの概略構成を示す側面図であり、図３は、本発明の実施形態に係る画像読取装置のＣＣＤユニットの概略構成を示す正面図である。ここで、図２に示す様に、ＣＣＤユニット１１は、ＣＣＤ１２、プリント基板１３、及びスペーサ１４から構成されている。
【００１７】
又、図２に示す様に、ＣＣＤ１２の端部には、プリント基板１３と接続される複数のリード１５が設けられている。当該リード１５は、プリント基板１３に形成された穴部（図示せず）に差し込まれており、プリント基板１３より突出したリード１５の端部１６を半田付けすることにより、ＣＣＤ１２はプリント基板１３上に半田付けされ、固定されている。尚、図２、図３に示す様に、プリント基板１３には、ＣＣＤ１２が半田付けされたプリント基板１３を画像読取装置本体１に設けられたＣＣＤユニット固定用基板（図示せず）に取り付けて、固定するためのビス１７が収容されるビス穴１８が設けられている。
【００１８】
ＣＣＤ１２とプリント基板１３との間には、ＣＣＤ１２とプリント基板１３との間に隙間が生じない様にスペーサ１４が設けられている。このスペーサ１４は、プリント基板１３を固定保持するためのもので、プリント基板１３側に接着固定されている。又、このスペーサ１４は、例えば、ポリカーボネート樹脂等の耐熱性の高い樹脂により形成されている。
【００１９】
従って、本発明の実施形態では、ＣＣＤ１２とプリント基板１３との間には、プリント基板１３を固定保持するための耐熱性の高いスペーサ１４が設けられているため、ＣＣＤ１２の発熱量の増大に伴い、ＣＣＤ１２が半田付けされたプリント基板１３の温度が上昇した場合であっても、当該プリント基板１３に反り等の変形が発生するのを未然に防止することができ、その結果、ＣＣＤ１２の位置ずれ、及び焦点ずれが生じるという不都合を回避することができる。
【００２０】
又、ＣＣＤ１２とプリント基板１３との間に隙間が生じない様にスペーサ１４が設けられているため、半田付けを行う際にＣＣＤ面とプリント基板面の平行度がとり易くなり、作業効率を向上させることができる。
【００２１】
又、本実施形態にいては、図３に示す様に、スペーサ１４の外形はＣＣＤ１２の外形よりも小さくなっており、特に、リード１５が形成されたＣＣＤ１２の端部領域においては、スペーサ１４の辺１９が当該リード１５から所定距離αだけ離れた形状となっている。スペーサ１４の外形をこの様な形状にすることにより、ＣＣＤ１２とプリント基板１３との間にスペーサ１４を挿入した場合であっても、リード１５とプリント基板１３の半田付けを行う際に、リード１５の抜けや接触不良等の不都合を起こすことなくＣＣＤ１２をプリント基板１３上に半田付けし、固定することができる。
【００２２】
尚、図２、図３においては、プリント基板１３と接続される複数のリード１５をＣＣＤ１２の端部に設けた場合を説明したが、図４、図５に示す様に、ＣＣＤ１２の中央部にプリント基板１３と接続される複数のリード１５を設けた構成としても良い。
【００２３】
リード１５をＣＣＤ１２の中央部に設けた場合は、プリント基板１３が湾曲し易いため、リード１５をＣＣＤ１２の端部に設けた場合に比し、温度上昇に伴うプリント基板１３の反り等の変形が更に生じやすくなってしまうが、この様な場合であっても、ＣＣＤ１２とプリント基板１３との間にプリント基板１３を固定保持するための耐熱性の高いスペーサ２０を設けることにより、プリント基板１３の温度が上昇した場合であっても、当該プリント基板１３に反り等の変形が発生するのを未然に防止することができ、その結果、ＣＣＤ１２の位置ずれ、及び焦点ずれが生じるという不都合を回避することができる。
【００２４】
又、ＣＣＤ１２の中央部に複数のリード１５を設けた場合においても、図５に示す様に、スペーサ２０の外形はＣＣＤ１２の外形よりも小さくなっており、特に、リード１５が形成されたＣＣＤ１２の中央部領域においては、スペーサ２０の辺２１が当該リード１５から所定距離βだけ離れた形状となっている。スペーサ２０の外形をこの様な形状にすることにより、ＣＣＤ１２とプリント基板１３との間にスペーサ２０を挿入した場合であっても、リード１５とプリント基板１３の半田付けを行う際に、リード１５の抜けや接触不良等の不都合を起こすことなくＣＣＤ１２をプリント基板１３上に半田付けし、固定することができる。
【００２５】
尚、本発明は、上記実施形態に限定されるものではなく、本発明の趣旨に基づいて各部の構造、形状等を適宜変更することが可能であり、それらを本発明の範囲から除外するものではない。
【００２６】
例えば、上記実施形態においては、スペーサは、例えば、ポリカーボネート樹脂等の耐熱性の高い樹脂により形成されているとしたが、当該スペーサは、プリント基板を保持固定することにより、プリント基板の変形を未然に防止できるものであれば、上記樹脂以外のガラスや金属等であっても良い。
【００２７】
又、上記実施形態においては、スペーサはプリント基板側に接着固定される態様としたが、ＣＣＤ側に接着固定される態様としても良い。
【００２８】
【発明の効果】
以上、説明した様に、本発明によれば、ＣＣＤとプリント基板との間にプリント基板を固定保持するための耐熱性の高いスペーサが設けられているため、プリント基板の温度が上昇した場合であっても、当該プリント基板の変形を未然に防止することができるとともに、プリント基板に接続されたＣＣＤの位置ずれ、及び焦点ずれの発生を回避することができる。
【図面の簡単な説明】
【図１】は、本発明の実施形態に係る画像読取装置の全体構成を示す概略図である。
【図２】は、本発明の実施形態に係る画像読取装置のＣＣＤユニットの概略構成を示す側面図である。
【図３】は、本発明の実施形態に係る画像読取装置のＣＣＤユニットの概略構成を示す正面図である。
【図４】は、本発明の他の実施形態に係る画像読取装置のＣＣＤユニットの概略構成を示す側面図である。
【図５】は、本発明の他の実施形態に係る画像読取装置のＣＣＤユニットの概略構成を示す正面図である。
【符号の説明】
１      画像読取装置本体
２      原稿台ガラス
４      光源
５      第１ミラー
７      第２ミラー
８      第３ミラー
１０    結像レンズ
１１    ＣＣＤユニット
１２    ＣＣＤ
１３    プリント基板
１４    スペーサ
１５    リード
１６    リード端部
２０    スペーサ
【図１】
2004153490.tif 000003
【図２】
2004153490.tif 000004
【図３】
2004153490.tif 000005
【図４】
2004153490.tif 000006
【図５】
2004153490.tif 000007